(57)【要約】本発明は、中心軸（Ｚ）に沿って長手方向に延びる本体（１０）と、インク容器（１４）と、半径方向外側の筆記面を有し、本体の一方の端部に配置され、インク容器（１４）と連絡し、一次軸（Ｙ）の周りを回転できるように取り付けられた筆記ローラ（１２）と、を有する筆記用具に関する。この筆記用具は、筆記ローラ（１２）が、一次軸（Ｙ）に垂直な二次軸（Ｘ）の周りをピボット運動できるように取り付けられていることを特徴としている。
2007536136.tif 000002
【特許請求の範囲】
【請求項１】
中心軸（Ｚ）に沿って長手方向に延びる本体（１０）と、
インク容器（１４）と、
半径方向外側の筆記面を有し、前記本体（１０）の一方の端部に配置され、前記インク容器（１４）と連絡し、一次軸（Ｙ）の周りを回転できるように取り付けられた筆記ローラ（１２）と、を有する筆記用具において、
前記筆記ローラ（１２）は、前記一次軸（Ｙ）に垂直で該一次軸（Ｙ）と交差する二次軸（Ｘ）の周りをピボット運動できるように取り付けられていることを特徴とする筆記用具。
【請求項２】
前記筆記ローラのピボット運動がおこなわれる前記二次軸（Ｘ）と前記中心軸（Ｚ）とは交差している、請求項１に記載の筆記用具。
【請求項３】
前記一次軸（Ｙ）は、中立位置に設けられたピン（２２）であって、前記筆記ローラ（１２）とともに玉継手を形成する球形部（２６）を該ピンの中央領域に有するピン（２２）によって形成される、請求項１または２に記載の筆記用具。
【請求項４】
前記球形部（２６）の直径は、前記ピン（２２）の平均直径より大きい、請求項３に記載の筆記用具。
【請求項５】
前記筆記ローラ（１２）は、内径が両端部に向かって大きくなる中空のチューブ（１８）であることを特徴とする、請求項１から４のいずれか１項に記載の筆記用具。
【請求項６】
前記球形部（２６）の直径は、前記筆記ローラ（１２）の前記中空のチューブ（１８）の最小直径にほぼ等しい、請求項５に記載の筆記用具。
【請求項７】
前記本体（１０）は、前記中心軸（Ｚ）に沿って延びる細長い形状の２つのハウジング（３０ａ，３０ｂ）を前記ピン（２２）の両側に有し、前記ピン（２２）は、前記ハウジング（３０ａ，３０ｂ）に取り付けられ、前記ハウジング内を前記中心軸（Ｚ）とほぼ平行な方向に滑ることができる、請求項３から６のいずれか１項に記載の筆記用具。
【請求項８】
前記ピン（２２）は、前記ハウジング（３０ａ，３０ｂ）内で回転できるように取り付けられている、請求項７に記載の筆記用具。
【請求項９】
前記筆記ローラ（１２）は、一方の端部で前記インク容器（１４）と連通し他方の端部で該筆記ローラ（１２）と接触してインクを前記インク容器（１４）から該筆記ローラ（１２）に運ぶインクパッド（１６）によって、前記インク容器（１４）と連絡している、請求項１から８のいずれか１項に記載の筆記用具。
【請求項１０】
前記筆記ローラ（１２）の外面（２０）は円筒形である、請求項１から９のいずれか１項に記載の筆記用具。
【発明の詳細な説明】
【技術分野】
【０００１】
本発明は、筆記用具に関する。
【０００２】
特に本発明は、中心軸Ｚに沿って長手方向に延びる本体と、インク容器と、外側の筆記面を有し、本体の一方の端部に配置され、インク容器と連絡し、一次軸の周りを回転できるように取り付けられたローラと、を有する筆記用具に関する。
【背景技術】
【０００３】
この種の筆記用具は、そのマーキング幅およびマーキング速度のため、特に蛍光ペンに適している。この筆記用具は、模様や反復的な装飾メッセージを描くのに用いることもできる。
【０００４】
米国特許第３０８５５５４号は、筆記用具の使用時に本体の中心軸に垂直な軸の周りを回転する円筒形の筆記ローラを有する、上述の種類の筆記用具に関するものである。
【０００５】
この筆記ローラは、様々な太さの線を描けるように、筆記用具の本体の中心軸の周りの限られた角移動を可能にする丸いキャビティによって案内された半球状の端部を有している。線の太さは、ユーザが選択する本体を握る角度、筆記方向、および筆記方向に対する筆記ローラの角度によって決まる。この筆記用具は、ローラの軸が筆記方向に垂直でかつ筆記面に平行であるときに最大太さの線を描く。
【０００６】
しかし、筆記用具の本体が筆記方向に垂直な平面内で傾いている場合、たとえば、ユーザがペンを自分の方へ自然に傾けているときには、ローラはもはや紙面に平行ではなく、ローラの一端のみが紙面に接触する。
【０００７】
したがって、ローラ型の筆記用具は、一般にそれほど使いやすいとはいえず、特にユーザが最大太さの水平な筆記線を描きたいときはそうである。
【発明の開示】
【発明が解決しようとする課題】
【０００８】
本発明の目的は、特にこれらの欠点を解消することである。
【課題を解決するための手段】
【０００９】
このため、本発明によれば、上述のタイプの筆記用具は、筆記ローラが、一次軸に垂直な二次軸の周りをピボット運動できるように取り付けられていることを特徴としている。
【００１０】
このような構成によって、この筆記用具は自然な位置で使用することができ、筆記用具を傾けても最大幅の筆記線を描くことができる。
【００１１】
本発明による筆記用具の様々な実施態様では、以下の構成のうちのいずれかおよび／またはいくつかを用いることもできる。
−筆記ローラのピボット運動がおこなわれる二次軸Ｘと中心軸Ｚとは交差している。
−一次軸Ｙは、筆記ローラとともに玉継手を形成する球形部をその中央領域に有するピンによって形成される。
−球形部の直径は、ピンの平均直径より大きい。
−筆記ローラは、内径が両端部に向かって大きくなる中空のチューブである。
−球形部の直径は、筆記ローラの中空のチューブの最小直径にほぼ等しい。
−本体は、中心軸Ｚに沿って延びる細長い形状の２つのハウジングをピンの両側に有し、ピンは、ハウジングに取り付けられ、ハウジング内を中心軸Ｚとほぼ平行な方向に滑ることができる。
−ピンは、ハウジング内で回転できるように取り付けられている。
−筆記ローラは、一方の端部でインク容器と連通し他方の端部で筆記ローラと接触してインクをインク容器から筆記ローラに運ぶインクパッドによって、インク容器と連絡している。
−ローラの外面は円筒形である。
【００１２】
本発明の他の特徴および利点は、非限定的な例として提示される本発明の実施形態の一つについての以下の説明を、添付の図面を参照して読めば明らかになろう。
【００１３】
様々な図において、同じ参照番号は同一または同様の部材を示している。
【発明を実施するための最良の形態】
【００１４】
図１は、本発明による筆記用具の長手方向断面図である。この筆記用具は、中心軸Ｚに沿って延び基本的に円筒形で、一方の端部がローラ１２に向かって細くなっている本体１０を有している。本体１０は、筆記ローラ１２と、反対側の端部に設けられたインク容器１４と、を有している。筆記ローラ１２とインク容器１４との間には、インクを流すのに十分な浸透性を有する、フォームなどの多孔性材料からなるインクパッド１６が設けられている。
【００１５】
筆記ローラ１２は、中心軸Ｚに垂直な一次軸Ｙの周りを回転できるように取り付けられている。筆記ローラ１２は、少なくとも一部がインクを筆記面に付着させる働きをする、径方向に広がる外面を有している。図１では、ローラは中空の円筒形チューブ１８であり、その外面２０の幅が筆記線の最大幅を決定する。しかし、外面は多少膨らんでいてもよい。
【００１６】
筆記ローラ１２は、中空のチューブ１８内に配置され中立位置にあるときに一次回転軸Ｙを形成するピン２２の周りを回転できるように取り付けられている。ピン２２は、筆記用具の本体１０のハウジング２４ａ，２４ｂの各端部に配置され、自由に回転する。
【００１７】
ピン２２は、その中央領域に、直径がピン２２の直径より大きく、かつ中空のチューブ１８の最小直径よりわずかに大きいかまたは最小直径に等しい球形部２６を有している。したがって、球形部２６は筆記ローラ１２の壁の内側２８に接触している。
【００１８】
腕部３０ａ，３０ｂが球形部２６の各側から延び、ピン２２を形成している。各腕部は、端部の直径が球形部２６に固定された端部の直径より小さくなるような、らっぱ状の形状をしている。さらに、各腕部は、ハウジング２４ａ，２４ｂを通る一次軸Ｙに沿ったピン２２の並進移動を制限する段差３１を有している。球形部２６と腕部３０ａ，３０ｂは、一体の部材として作られるか、または別々のモールドで作られ、その後互いに固定される。
【００１９】
筆記ローラ１２は、球形部２６を中心に、一次軸Ｙおよび長手方向軸Ｚに垂直な二次軸Ｘの周りを、中立位置とピボット位置との間でピボット運動できるように取り付けられている。筆記ローラ１２は、球形部２６とともに玉継手を形成している。これは、ローラ１２の内部に作られたくぼみ３３によって可能になる。このくぼみは、球形部２６の形状と相補関係にあり、それによってローラ１２は、二次軸Ｘおよび一次軸Ｙに従ってピン２２の周りをより容易に回転することができる。
【００２０】
図示のように、各軸は、ピン２２およびローラ１２の幾何学的中心である点３２ですべて交差している。軸Ｘをこのように中心に配置することで、ローラの一方の端部が筆記面に接触した後、弾性的な戻り手段の必要なしに、ローラ１２を筆記面に平行に位置させることが可能となる。
【００２１】
図２は、本体がピボット運動した後の筆記用具を示している。二次軸Ｘの周りでの筆記ローラ１２のピボット運動は、ピン２２を形成する腕部３０ａ，３０ｂと筆記ローラの内部とによって、角度が制限されている。腕部３０ａ，３０ｂがその端部に向かって細くなるにつれて、二次軸Ｘの周りでの筆記ローラ１２の回転角度が大きくなる。
【００２２】
同様に、中空のチューブ１８の内径がローラ１２の各端部に向かって大きくなると、ローラ１２のより広範囲の角移動が可能となる。
【００２３】
ユーザは筆記用具を手にとるとき、筆記面に対して傾いた方向で本体１０を握ることができる。筆記ローラ１２が筆記面に接触すると、筆記ローラ１２はユーザの支持力のために、長手方向軸に沿ってインクパッド１６の方へ並進移動する。この移動は、筆記用具の本体１０に設けられ、ピン２２の腕部３０ａ，３０ｂが滑動する細長い形状のハウジング２４ａ，２４ｂによって可能になる。筆記ローラ１２がインクパッド１６に接触すると、インクはパッド１６から外面１２の方へ流れる。
【００２４】
ユーザが筆記面上で筆記用具を動かすと、ローラ１２は一次軸Ｙの周りで回転し、インクパッド１６に接触している外面にインクが再充填され、そのインクが次に筆記面に付着する。
【００２５】
さらに、ユーザが筆記用具を握る角度に応じて、筆記ローラ１２は、ローラ１２の全幅が筆記面に接触するように、球形部２６の周りをピボット運動する。このピボット運動は、ピン２２とローラの壁の内側２８とが一点で互いに接触することによって、角度が制限され、これによって、ローラ１２が軸Ｘの周りをさらにピボット運動することが防止される。
【００２６】
ピン２２とローラ１２は、簡素な玉継手によって連結されており、互いに独立に回転運動またはピボット運動をすることができる。特に、筆記位置で、すなわち本体１０が傾いているとき、ピン２２が本体１０の傾斜角度とほぼ同じ角度で傾いていても、ローラ１２は筆記面と平行である。
【００２７】
上述の実施形態は、限定的なものではない。他の実施形態では、筆記ローラ１２は、ピン２２の一方の端部を細長い開口部の中心に戻す弾性連結部とピンの他方の端部に設けられた玉継手またはヒンジとの相互作用によって、軸Ｘの周りをピボット運動することができる。
【図面の簡単な説明】
【００２８】
【図１】筆記面に対して垂直に立てられた状態における、本発明による筆記用具の長手方向断面図である。
【図２】筆記用具がピボット運動した状態における、図１と同様の図である。
【図１】
2007536136.tif 000003
【図２】
2007536136.tif 000004
【国際調査報告】
2007536136.tif 000005
2007536136.tif 000006
2007536136.tif 000007
2007536136.tif 000008